(57)【要約】【課題】しめ飾りに代表される玄関先に飾る装飾物を、その飾る場所である玄関ドア等が鉄製であった場合に、確実で簡便な保持を提供する。【解決手段】  マグネットと、このマグネットを収納するホルダと、ホルダ本体の中心から直角に突出する針とを備えた保持具であって、針の長さが１５ミリメートル以上であることを特徴とする装飾物保持具。かつ、前記ホルダの外周が、接着面の中心に向かって傾斜していることを特徴とする。そして、前記針のホルダ側にすべり止め用の凹凸が形成されていることを特徴とする。【選択図】図１
2011078716.tif 000002
【特許請求の範囲】
【請求項１】
マグネットと、このマグネットを収納するホルダと、ホルダ本体の中心から直角に突出する針とを備えた保持具であって、針の長さが１５ミリメートル以上であることを特徴とする装飾物保持具。
【請求項２】
前記ホルダの外周が、接着面の中心に向かって傾斜していることを特徴とする請求項１記載の装飾物保持具。
【請求項３】
前記針のホルダ側にすべり止め用の凹凸が形成されていることを特徴とする前記請求項１および前記請求項２記載の装飾物保持具。
【発明の詳細な説明】
【技術分野】
【０００１】  本発明は、鉄製のドア、壁面、フェンス等にお正月のしめ飾りやクリスマスリースなどの装飾物を保持させることに関する。
【背景技術】
【０００２】  マグネットに鈎状のフックが付き、対象物をヒモで吊り下げる図１０に示すような保持具がある。【０００３】  磁気による鉄板面への接着力を活かした保持具としては、ネオジウム磁石からなるマグネット本体の磁力によって、それを被うホルダと補助板との間に遮蔽材を挟持させる構造で、ホルダに画鋲収納溝を設け、そこに止め具として画鋲を差し込み壁面や枠材に固定するよう構成されているものがある（特許文献１参照）。
また、鉄板に画鋲の針を突出させオスとし、もう一方である磁石の面にメスとなる穴を設け遮蔽材の挟持を補強する保持具もある（特許文献２参照）。
【先行技術文献】
【０００４】
【特許文献１】  特開平１１−２４４１２９
【特許文献２】  実用新案登録番号  第３０４７１５１号
【発明の概要】
【発明が解決しようとする課題】
【０００５】  マグネットに鈎状のフックを付けて装飾物をヒモで吊り下げるか縛るなどする保持具図１０では、ドアの開閉のたびに装飾物が揺れて安定がなく取れやすい。また、装飾物はデリケートな自然素材である場合が多いため、ヒモを使って取り付けると形が崩れる場合もある。【０００６】  近年、しめ飾りやクリスマスリースなどの装飾物は多様なものが出回っているが、それを取り付ける保持具に関しては季節商品のためか購入者の工夫にまかせられるままになっている。本発明はそういった装飾物の特性に合わせて、その飾る場所である玄関ドア等が鉄製であった場合に簡便かつ確実に保持させるためのものである。【０００７】  特開平１１−２４４１２９号広報に記載された保持具は、カーテンやポスターなどの薄手の物品を磁気力で挟持し、壁面や障子枠に固定するために画鋲を止め具としている。また、実用新案登録番号第３０４７１５１号の保持具の画鋲は、紙を挟持するかその本体を木製建具にに刺すためのものである。いずれも、しめ飾りやクリスマスリースなど厚みがあり立体的な装飾物を鉄ドアの表面に保持することはできない。
本発明は以上の問題点を解決するものである。
【課題を解決するための手段】
【０００８】  請求項１記載の発明は、マグネットと、このマグネットを収納するホルダと、ホルダ本体の中心から直角に突出する針とを備えた保持具であって、針の長さが１５ミリメートル以上であることを特徴とする装飾物保持具である。【０００９】  請求項２記載の発明は、前記ホルダの外周が、接着面の中心に向かって傾斜していることを特徴とする請求項１記載の装飾物保持具である。【００１０】  請求項３記載の発明は、前記針のホルダ側にすべり止め用の凹凸が形成されていることを特徴とする前記請求項１および前記請求項２記載の装飾物保持具である。
【発明の効果】
【００１１】  請求項１記載の発明は、マグネットと、このマグネットを収納するホルダと、ホルダ本体の中心から直角に突出する針とを備えた保持具であって、針の長さが１５ミリメートル以上であることを特徴とする装飾物保持具なので、鉄製のドア、フェンスなどには磁石で完全に接着できる。しめ飾りなどの装飾物は針に刺すことで容易に保持する。【００１２】  請求項２記載の発明は、前記ホルダの外周が、接着面の中心に向かって傾斜していることを特徴とする請求項１記載の装飾物保持具なので、これを鉄ドア等に着脱する際、針と本体のみで構成される本発明の安定した持ち手部分となる。【００１３】  請求項３記載の発明は、前記針のホルダ側にすべり止め用の凹凸が形成されていることを特徴とする前記請求項１および前記請求項２記載の装飾物保持具なので、藁や枝といった自然素材で出来た装飾物と針を確実に固定する。
【発明を実施するための形態】
【００１４】  本発明の実施形態について図面２を参照し説明する。針（３）に、しめ飾りやクリスマスリースなどの装飾物を刺し、マグネット（１）の針先と反対方向の面を鉄製ドア（４）に接着させる。マグネットを収納するホルダ（２）の外周は接着面の中心に向かって傾斜している。
【００１５】  図４に示した実施例では、本発明のホルダの外周を接着面の中心に向かって傾斜させることで、その部分が持ち手となる手の位置を示す図である。
【００１６】  図５に示した実施例では、強力な磁力の小型のマグネットをマグネットを収納するホルダ内に分散して配置している。
【００１７】  図６に示した実施例では、マグネットと共にホルダを小さくしたものである。
【００１８】  図７に示した実施例では、マグネットの硬度で鉄製ドアなどとの接着面にギズを作らないためのキズ防護カバー（６）を取り付けている。
【００１９】  図８に示した実施例では、針先に膨張部分を形成し、装飾物が針から抜けないためのストッパー（３ａ）としている。
【００２０】  図９は、本発明のホルダ部分の形状のバリエーションを示す実施例である。
【図面の簡単な説明】
【００２１】
【図１】本発明の一実施例の外観図である。
【図２】本発明を鉄製ドアに取り付けた、一実施例を示す断面図である。
【図３】図２の本発明に装飾物を保持させる形態を示す図である。
【図４】図２の本発明の、着脱の掴みどころを示す図である。
【図５】本発明の実施例を示す図である。
【図６】本発明の実施例を示す図である。
【図７】本発明の実施例を示す図である。
【図８】本発明の実施例を示す図である。
【図９】本発明の実施例を示す図である。
【図１０】マグネットに鈎状のフックが付いた従来品の図である。
【符号の説明】
【００２２】  （１）マグネット、（２）ホルダ、（３）針、（４）鉄製ドア、（５）装飾物、（６）キズ防止カバー
【図１】
2011078716.tif 000003
【図２】
2011078716.tif 000004
【図３】
2011078716.tif 000005
【図４】
2011078716.tif 000006
【図５】
2011078716.tif 000007
【図６】
2011078716.tif 000008
【図７】
2011078716.tif 000009
【図８】
2011078716.tif 000010
【図９】
2011078716.tif 000011
【図１０】
2011078716.tif 000012